(57)【特許請求の範囲】
【請求項１】
ヨウ化アンモニウム、ヨウ化鉄（II）、ヨウ化ニッケル、ヨウ化リチウム、ヨウ化カリウム、ヨウ化カルシウム、ヨウ化ナトリウム、ヨウ化バリウム、ヨウ化マグネシウム、ヨウ化セシウムからなる群より選択される少なくとも１つの無機ヨウ化物を含む、脱ヨウ素イオン反応の結果生じた混合無機塩水溶液に、ケトン類、アルコール類、多価アルコール類とその誘導体類、エ−テル類、エステル類、及び含窒素化合物からなる群より選択される少なくとも１種の、２５℃の水に対する溶解度が５質量％以上である有機溶媒を加え、前記無機ヨウ化物を分離することを特徴とする無機ヨウ化物の回収方法。
【請求項２】
前記有機溶媒が、下記有機溶媒群より選択される少なくとも１種であることを特徴とする請求項１に記載の無機ヨウ化物の回収方法。
有機溶媒群：アセチルアセトン、アセトン、メチルエチルケトン、ジアセトンアルコ−ル、アセトアルデヒド、シクロヘキサノン、メタノ−ル、エタノ−ル、アリルアルコ−ル、イソプロピルアルコ−ル、テトラヒドロフルフリルアルコ−ル、ｎ−ブタノール、ｓｅｃ−ブタノール、ｔｅｒｔ−ブタノ−ル、フルフリルアルコ−ル、プロパルギルアルコ−ル、１−プロパノ−ル、３−メチル−２−ブタノール、３−メチル−１−ペンチン−３−オール、エチレングリコ−ル、エチレンカルボナ−ト、エチレングリコールジアセタート、エチレングリコ−ルジグリシジルエ−テル、エチレングリコ−ルジメチルエ−テル、エチレングリコ−ルモノアセタ−ト、エチレングリコ−ルモノエチルエ−テル、エチレングリコ−ルモノエチルエ−テルアセタ−ト、エチレングリコ−ルモノブチルエ−テル、エチレングリコ−ルモノメチルエ−テル、エチレングリコ−ルモノメチルエ−テルアセタ−ト、エチレングリコ−ルモノメトキシメチルエ−テル、グリセリン、グリセリンジグリシジルエ−テル、グリセリントリジグリシジルエ−テル、グリセリン１，３−ジアセタ−ト、グリセリン１，２−ジメチルエ−テル、グリセリン１，３−ジメチルエ−テル、グリセリントリアセタ−ト、グリセリン１−モノアセタ−ト、２−クロロ−１，３−プロパンジオ−ル、３−クロロ−１，２−プロパンジオ−ル、ジエチレングリコ−ル、ジエチレングリコ−ルエチルメチルエ−テル、ジエチレングリコ−ルジアセタ−ト、ジエチレングリコ−ルジエチルエ−テル、ジエチレングリコ−ルジメチルエ−テル、ジエチレングリコ−ルモノエチルエ−テル、ジエチレングリコ−ルモノエチルエ−テルアセタ−ト、ジエチレングリコ−ルモノブチルエ−テル、ジエチレングリコ−ルモノメチルエ−テル、ジプロピレングリコ−ル、ジプロピレングリコ−ルモノエチルエ−テル、ジプロピレングリコ−ルモノメチルエ−テル、テトラエチレングリコ−ル、トリエチレングリコ−ル、トリエチレングリコ−ルジメチルエ−テル、トリエチレングリコ−ルモノエチルエ−テル、トリエチレングリコ−ルモノメチルエ−テル、トリプロピレングリコ−ル、トリメチレングリコ−ル、トリメチロ−ルエタン、トリメチロ−ルプロパン、１，２−ブタンジオ−ル、１，３−ブタンジオ−ル、プロピレングリコ−ル、プロピレングリコ−ルモノエチルエ−テル、プロピレングリコールモノブチルエーテル、プロピレングリコ−ルモノメチルエ−テル、ヘキシレングリコ−ル、１，５−ペンタンジオ−ル、ポリエチレングリコ−ル、ポリプロピレングリコ−ル、１，４−ジオキサン、ジプロピルエーテル、ジメチルエーテル、テトヒドロフラン、テトラヒドロピラン、トリオキサン、フルフラール、メチラール、メチル−ｔ−ブチルエーテル、蟻酸メチル、蟻酸エチル、酢酸メチル、酢酸エチル、乳酸メチル、乳酸エチル、γ−ブチロラクトン、アセトニトリル、Ｎ−エチルモルホリン、ジイソプロピルエチルアミン、１，３−ジメチル−２−イミダゾリジノン、Ｎ，Ｎ−ジメチルアセトアミド、Ｎ，Ｎ−ジメチルホルムアミド、Ｎ，Ｎ，Ｎ',Ｎ’−テトラメチルエチレンジアミン、テトラメチル尿素、トリエタノ−ルアミン、トリエチルアミン。
【請求項３】
前記無機ヨウ化物が溶解した前記有機溶媒を回収することを特徴とする請求項１又は２に記載の無機ヨウ化物の回収方法。
【請求項４】
前記脱ヨウ素イオン反応が、芳香族アミン化合物とヨウ素化芳香族化合物の縮合反応であることを特徴とする請求項１〜３のいずれか１項に記載の無機ヨウ化物の回収方法。
【請求項５】
前記無機ヨウ化物を含む混合無機塩水溶液が、前記脱ヨウ素イオン反応を行った反応液に対して、２５℃の水に対する溶解度が１．５重量％以下である有機溶剤を加え、濾別して得られた濾過残渣に対して水を加えて調製されたもの、又は、前記脱ヨウ素イオン反応を行った反応液に対して、２５℃の水に対する溶解度が１．５重量％以下である有機溶剤と水とを加え、層分離させ、水溶液として分離回収されたものであることを特徴とする、請求項１〜４のいずれか１項に記載の無機ヨウ化物の回収方法。
【請求項６】
請求項１〜５のいずれか１項に記載の無機ヨウ化物の回収方法により回収された無機ヨウ化物をそのまま、または酸化剤と反応させてヨウ素に変換した後、ヨウ素化反応に用いることを特徴とするヨウ素化化合物の製造方法。
【発明の詳細な説明】
【技術分野】
【０００１】
本発明は、無機ヨウ化物の回収方法に関するものであり、詳しくは、無機ヨウ化物を含んだ反応廃棄物の混合無機塩水溶液から無機ヨウ化物を選択的に単離回収する方法に関する。また本発明は、脱ヨウ素イオン反応の基質であるヨウ素化化合物の製造に、この回収された無機ヨウ化物を再利用する方法に関する。
【背景技術】
【０００２】
ヨウ素および無機ヨウ化物は化学合成分野において重要な触媒又は出発原料として使用されている。例えばヨウ素化化合物は電子写真や有機エレクトロルミネッセンス素子等の有機感光体や染料、農薬、医薬品等の中間体として利用されており、そのヨウ素化化合物の製造にはヨウ素や無機ヨウ化物が用いられている。
ただしヨウ素は産地が偏在する貴重な天然資源であり、かつ高価であるため、工業的には低コスト化のためにヨウ素源の回収と再利用が強く望まれている。一般にヨウ素化化合物を原料とした反応では脱ヨウ素イオンを伴うため副生物として無機ヨウ化物が得られる。この無機ヨウ化物を含む反応廃棄物からヨウ素を回収する方法としては無機ヨウ化物を含む水溶液に塩素を吹き込み析出したヨウ素を回収する方法や過酸化水素による酸化で析出したヨウ素を回収する方法などが知られている（非特許文献１）。
しかし廃棄物として得られる無機ヨウ化物には炭酸塩、燐酸塩、水酸化物など多くの無機不純物が高濃度で含まれている場合が多く、回収操作を行うにはこれら無機塩を除く前処理が必要となる。従来の前処理方法にはイオン交換樹脂を用いる方法（特許文献１）が挙げられるが、この方法を行うには特殊設備が必要とされる。同様にヨウ素の回収工程においても例えば毒性の強い塩素を使用する場合には過剰塩素の処理装置などの付帯設備が必要とされる。これらのことから、特殊設備を必要としない、より簡便なヨウ素源の回収技術の確立が求められていた。
【０００３】
【非特許文献１】増補改定 ヨウ素総説 松岡敬一郎著 霞ヶ関出版 第二版p．７３
【特許文献１】特開平６−１９９５０１号公報
【発明の開示】
【発明が解決しようとする課題】
【０００４】
本発明の目的は、無機ヨウ化物を含む混合無機塩水溶液から、特殊設備を必要とすることなく、簡便に、高含量の無機ヨウ化物を高収率で回収する方法を提供することにある。また本発明の別の目的は、この回収された無機ヨウ化物を脱ヨウ素イオン反応の基質であるヨウ素化化合物の製造に再利用し、目的物を低コストで得る方法を提供することにある。
【課題を解決するための手段】
【０００５】
本発明者は従来の問題点を解決すべく無機ヨウ化物の回収方法について鋭意検討を重ねた結果、驚くべきことに無機ヨウ化物を含む混合無機塩水溶液に有機溶媒を加え抽出する非常に簡便な操作で高純度の無機ヨウ化物が高収率に回収できることを見出した。
即ち、本発明は以下の構成を有するものである。
１．  ヨウ化アンモニウム、ヨウ化鉄（II）、ヨウ化ニッケル、ヨウ化リチウム、ヨウ化カリウム、ヨウ化カルシウム、ヨウ化ナトリウム、ヨウ化バリウム、ヨウ化マグネシウム、ヨウ化セシウムからなる群より選択される少なくとも１つの無機ヨウ化物を含む、脱ヨウ素イオン反応の結果生じた混合無機塩水溶液に、ケトン類、アルコール類、多価アルコール類とその誘導体類、エ−テル類、エステル類、及び含窒素化合物からなる群より選択される少なくとも１種の、２５℃の水に対する溶解度が５質量％以上である有機溶媒を加え、前記無機ヨウ化物を分離することを特徴とする無機ヨウ化物の回収方法。
２．  前記有機溶媒が、下記有機溶媒群より選択される少なくとも１種であることを特徴とする前記１．に記載の無機ヨウ化物の回収方法。
有機溶媒群：アセチルアセトン、アセトン、メチルエチルケトン、ジアセトンアルコ−ル、アセトアルデヒド、シクロヘキサノン、メタノ−ル、エタノ−ル、アリルアルコ−ル、イソプロピルアルコ−ル、テトラヒドロフルフリルアルコ−ル、ｎ−ブタノール、ｓｅｃ−ブタノール、ｔｅｒｔ−ブタノ−ル、フルフリルアルコ−ル、プロパルギルアルコ−ル、１−プロパノ−ル、３−メチル−２−ブタノール、３−メチル−１−ペンチン−３−オール、エチレングリコ−ル、エチレンカルボナ−ト、エチレングリコールジアセタート、エチレングリコ−ルジグリシジルエ−テル、エチレングリコ−ルジメチルエ−テル、エチレングリコ−ルモノアセタ−ト、エチレングリコ−ルモノエチルエ−テル、エチレングリコ−ルモノエチルエ−テルアセタ−ト、エチレングリコ−ルモノブチルエ−テル、エチレングリコ−ルモノメチルエ−テル、エチレングリコ−ルモノメチルエ−テルアセタ−ト、エチレングリコ−ルモノメトキシメチルエ−テル、グリセリン、グリセリンジグリシジルエ−テル、グリセリントリジグリシジルエ−テル、グリセリン１，３−ジアセタ−ト、グリセリン１，２−ジメチルエ−テル、グリセリン１，３−ジメチルエ−テル、グリセリントリアセタ−ト、グリセリン１−モノアセタ−ト、２−クロロ−１，３−プロパンジオ−ル、３−クロロ−１，２−プロパンジオ−ル、ジエチレングリコ−ル、ジエチレングリコ−ルエチルメチルエ−テル、ジエチレングリコ−ルジアセタ−ト、ジエチレングリコ−ルジエチルエ−テル、ジエチレングリコ−ルジメチルエ−テル、ジエチレングリコ−ルモノエチルエ−テル、ジエチレングリコ−ルモノエチルエ−テルアセタ−ト、ジエチレングリコ−ルモノブチルエ−テル、ジエチレングリコ−ルモノメチルエ−テル、ジプロピレングリコ−ル、ジプロピレングリコ−ルモノエチルエ−テル、ジプロピレングリコ−ルモノメチルエ−テル、テトラエチレングリコ−ル、トリエチレングリコ−ル、トリエチレングリコ−ルジメチルエ−テル、トリエチレングリコ−ルモノエチルエ−テル、トリエチレングリコ−ルモノメチルエ−テル、トリプロピレングリコ−ル、トリメチレングリコ−ル、トリメチロ−ルエタン、トリメチロ−ルプロパン、１，２−ブタンジオ−ル、１，３−ブタンジオ−ル、プロピレングリコ−ル、プロピレングリコ−ルモノエチルエ−テル、プロピレングリコールモノブチルエーテル、プロピレングリコ−ルモノメチルエ−テル、ヘキシレングリコ−ル、１，５−ペンタンジオ−ル、ポリエチレングリコ−ル、ポリプロピレングリコ−ル、１，４−ジオキサン、ジプロピルエーテル、ジメチルエーテル、テトヒドロフラン、テトラヒドロピラン、トリオキサン、フルフラール、メチラール、メチル−ｔ−ブチルエーテル、蟻酸メチル、蟻酸エチル、酢酸メチル、酢酸エチル、乳酸メチル、乳酸エチル、γ−ブチロラクトン、アセトニトリル、Ｎ−エチルモルホリン、ジイソプロピルエチルアミン、１，３−ジメチル−２−イミダゾリジノン、Ｎ，Ｎ−ジメチルアセトアミド、Ｎ，Ｎ−ジメチルホルムアミド、Ｎ，Ｎ，Ｎ',Ｎ’−テトラメチルエチレンジアミン、テトラメチル尿素、トリエタノ−ルアミン、トリエチルアミン。
３． 前記無機ヨウ化物が溶解した前記有機溶媒を回収することを特徴とする前記１．又は２．に記載の無機ヨウ化物の回収方法。
４．  前記脱ヨウ素イオン反応が、芳香族アミン化合物とヨウ素化芳香族化合物の縮合反応であることを特徴とする前記１．〜３．のいずれか１項に記載の無機ヨウ化物の回収方法。
５．  前記無機ヨウ化物を含む混合無機塩水溶液が、前記脱ヨウ素イオン反応を行った反応液に対して、２５℃の水に対する溶解度が１．５重量％以下である有機溶剤を加え、濾別して得られた濾過残渣に対して水を加えて調製されたもの、又は、前記脱ヨウ素イオン反応を行った反応液に対して、２５℃の水に対する溶解度が１．５重量％以下である有機溶剤と水とを加え、層分離させ、水溶液として分離回収されたものであることを特徴とする、前記１．〜４．のいずれか１項に記載の無機ヨウ化物の回収方法。
６．  前記１．〜５．のいずれか１項に記載の無機ヨウ化物の回収方法により回収された無機ヨウ化物をそのまま、または酸化剤と反応させてヨウ素に変換した後、ヨウ素化反応に用いることを特徴とするヨウ素化化合物の製造方法。
尚、本発明は、特許請求の範囲に記載されたものに関するものであるが、その他の事項についても参考の為に記載した。
【発明の効果】
【０００６】
本発明によれば、無機ヨウ化物を含む混合無機塩水溶液から、特殊設備を必要とすることなく、簡便に、高含量の無機ヨウ化物を高収率で回収する方法が提供される。更に、本発明によれば、脱ヨウ素イオン反応の基質であるヨウ素化化合物の製造に、この回収された無機ヨウ化物を再利用する方法が提供される。
【発明を実施するための最良の形態】
【０００７】
以下、本発明を更に詳細に説明する。
本発明は、無機ヨウ化物を含む混合無機塩水溶液から高純度の無機ヨウ化物のみを低コストかつ簡便な操作で高収率で分離回収する方法と、回収された無機ヨウ化物を工業的に再利用する方法に関する。特に脱ヨウ素イオンを伴う反応を工業的に行った場合には無機ヨウ化物を含む混合無機塩が反応副生物として大量に排出されるため、高価なヨウ素源を回収し再利用することが望ましい。
【０００８】
工業的に用いられている脱ヨウ素イオン反応としては以下の例が挙げられる。本発明によってこれらの反応で排出され得る混合無機塩から高純度の無機ヨウ化物を回収することができるが、本発明が回収処理する反応の範囲は以下に限定されるものではない。
（ａ）ヨウ素化化合物によるカップリング反応（例えばＣｈｅｍ．Ｒｅｖ．，３８，１３９（１９４６）；Ｊ．Ａｍ．Ｃｈｅｍ．Ｓｏｃ．，１０３，６４６０（１９８１）等）
（ｂ）ヨウ素化化合物とアンモニア、イミド、アミド、アジドを含むアミン類による縮合反応（例えばＪ．Ａｍ．Ｃｈｅｍ．Ｓｏｃ．，１０９，１４９６（１９８７）；Ｔｅｔｒａｈｅｄｒｏｎ  Ｌｅｔｔ．，３９，２３６７（１９９８）等）
（ｃ）ヨウ素化化合物とアルコール類もしくはフェノキシド、アルコキシドを含むフェノール類によるエーテル化反応（例えばＣｈｅｍ．Ｒｅｖ．，１４，４０９（１９３４）等）
（ｄ）ヨウ素化化合物とチオフェノールを含むチオール類によるチオエーテル化反応（例えばＯｒｇ．Ｓｙｎｔｈ．，４，３９６（１９６３）等）
（ｅ）ヨウ素化化合物と活性メチレン化合物によるカップリング反応（例えばＪ．Ｃｈｅｍ．Ｓｏｃ．，１８７０（１９２９）等）
（ｆ）ヨウ素化化合物と末端オレフィン化合物とのカップリング反応（例えばＯｒｇ．Ｒｅａｃｔ．，２７，３４５（１９８２）等）
（ｇ）ヨウ素化化合物と有機スズ化合物とのカップリング反応（例えばＡｎｇｅｗ．Ｃｈｅｍ．Ｉｎｔ．Ｅｎｇ．Ｅｄ．，２５，５０８（１９８６）；Ｊ．Ｏｒｇ．Ｃｈｅｍ．，５４，５８５６（１９８９）等）
（ｈ）ヨウ素化化合物と有機ホウ素化合物とのカップリング反応（例えばＪ．Ａｍ．Ｃｈｅｍ．Ｓｏｃ．，１０７，９７２（１９８５）等）
（ｉ）ヨウ素化化合物と有機燐化合物とのカップリング反応（例えばＴｅｔｒａｈｅｄｒｏｎ ２３，４６７７（１９６７）等）
（ｊ）ヨウ素化化合物と末端アセチレン化合物（銅アセチリド化合物を含む）とのカップリング反応（例えばＪ．Ｏｒｇ．Ｃｈｅｍ．，２８，３３１３（１９６３）；Ｔｅｔｒａｈｅｄｒｏｎ  Ｌｅｔｔ．，５０，４４６７（１９７５）等）
（ｋ）ヨウ素化化合物と有機グリニア化合物とのカップリング反応（例えばＳｙｎｔｈｅｓｉｓ ３０３（１９７１）等）
【０００９】
なお本発明において、脱ヨウ素イオン反応は、アミン化合物とヨウ素化化合物の縮合反応、とくに芳香族アミン化合物とヨウ素化芳香族化合物との縮合反応であるのが好ましい。  
【００１０】
以下に、脱ヨウ素イオン反応の結果生じた混合無機塩水溶液から無機ヨウ化物を回収する場合を例にとり説明する。
まず、（１）脱ヨウ素イオン反応液中から混合無機塩を分離する。
この（１）の工程では下記の操作のどちらかを選択して行う。
操作１：反応液を有機溶剤で希釈し、濾別して混合無機塩を分離する操作
操作２：反応液に有機溶剤と水を添加し水層を分液して混合無機塩を分離する操作
これらの操作のいずれかを行うことにより、未反応の原料化合物や反応溶媒は有機溶媒層に回収され、混合無機塩は操作１では濾過残渣、操作２では水溶液として分離回収される。上記操作は反応生成物（目的物質）や回収するヨウ化物の溶解度、その濾過性等を考慮し、どちらか適切な操作を選択する。
【００１１】
（１）の工程で使用される有機溶剤としては、例えば水にほとんど溶解しない有機溶剤、好ましくは水（２５℃）に対する溶解度が、１．５質量％以下である有機溶剤であり、具体的には、トルエン、キシレン、メシチレン、デュレン、エチルベンゼン、ジエチルベンゼン、ｎ−プロピルベンゼン、イソプロピルベンゼン、ジイソプロピルベンゼン、ｎ−ブチルベンゼン、ｉｓｏ−ブチルベンゼン、ｓｅｃ−ブチルベンゼン、ｔｅｒｔ−ブチルベンゼン、ジ−ｔｅｒｔ−ブチルベンゼン等の芳香族炭化水素溶媒、ジクロロメタン、ジクロロエタン、トリクロロエタン、クロロホルム、クロルベンゼン、ｏ−ジクロルベンゼン等のハロゲン系炭化水素溶媒、ニトロベンゼン、ニトロトルエン等の芳香族ニトロ化合物などが挙げられる。その中でも安価で比較的除去しやすいトルエン、キシレンが好ましい。操作１の有機溶剤の使用量は反応生成物が完全に溶解する量であればよく、通常反応生成物１モルに対して５０ｍｌ〜５０００ｍｌの範囲で使用され、好ましくは５００ｍｌ〜２０００ｍｌの範囲で使用される。同様に操作２で使用する有機溶剤量は生成する反応生成物１モルに対して５０ｍｌ〜５０００ｍｌの範囲で使用され、好ましくは５００ｍｌ〜２０００ｍｌの範囲で使用される。抽出で使用する水量は２０〜８０℃、好ましくは５０〜８０℃の温度条件で系内の無機塩を完全に溶解する量に設定する。抽出圧力は、通常は常圧であり、抽出時間は、例えば５〜１２０分間である。
【００１２】
次に、（２）分離した混合無機塩から無機ヨウ化物を選択的に回収する。この（２）の工程が本発明の主な特徴である。
分離した混合無機塩から無機ヨウ化物を回収する場合は水溶液の状態で行う。なお、前記操作２において、反応液から分液して得られた混合無機塩水溶液はそのまま使用することが出来る。また前記操作１において、濾別して得た混合無機塩の場合は、無機塩が完全に溶解するできるだけ少ない量の水を加えて水溶液を調整する。この場合、混合無機塩の濃度は、水溶液中の無機ヨウ化物の濃度が３〜８０質量％の範囲となるように調整するのがよく、好ましくは５〜７０質量％、より好ましくは１０〜６０質量％である。水溶液の濃度を調整する際の温度は１０〜１００℃であり、好ましくは２０〜９５℃、より好ましくは５０〜８０℃の範囲である。また、混合無機塩に有機溶媒が付着している場合は、分液を行って水層のみを取り出す。
無機ヨウ化物の回収は、この混合無機塩水溶液に有機溶媒を添加して行う。混合無機塩水溶液は有機溶媒を加えることにより、二層に分離（水性二層抽出）した状態、あるいは無機ヨウ化物以外の無機塩が結晶として析出した状態になる。この状態の有機溶媒層には非常に高い選択性で無機ヨウ化物が溶解する。そのため、この有機溶媒層を分離し溶媒を濃縮することで無機ヨウ化物の水溶液、もしくは無機ヨウ化物の結晶を単離することができる。このことは、本発明者が初めて見出した見地である。また、回収した無機ヨウ化物を公知の方法（例えば、“ヨウ素総説”松岡敬一郎著 霞ヶ関出版 第二版  p．７３）でヨウ素に転化し使用することもできる。
【００１３】
（２）の工程で添加する有機溶媒は特に限定されないが、ケトン類、アルコール類、多価アルコール類とその誘導体類、エ−テル類、エステル類、含窒素化合物等が挙げられ、その中でも水（２５℃）に対する溶解度が５質量％以上であるものが好ましい。
【００１４】
以下に、本発明で用いる有機溶媒の具体例を挙げる。カッコ内は水に対する溶解度（質量％）である。また「任意」とあるのは、水に対し任意の割合で均一に混合可能であることを意味する。
(ｉ）ケトン類：アセチルアセトン（１２．５）、アセトン（任意）、メチルエチルケトン（２６．８）、ジアセトンアルコ−ル（任意）、アセトアルデヒド（任意）、シクロヘキサノン（５．０）等。
（ii）アルコ−ル類：メタノ−ル（任意）、エタノ−ル（任意）、アリルアルコ−ル（任意）、イソプロピルアルコ−ル（任意）、テトラヒドロフルフリルアルコ−ル（任意）、ｎ−ブタノール（６．４）、ｓｅｃ−ブタノール（２０．２）、ｔｅｒｔ−ブタノ−ル（任意）、フルフリルアルコ−ル（任意）、プロパルギルアルコ−ル（任意）、１−プロパノ−ル（任意）、３−メチル−２−ブタノール（６．０７）、３−メチル−１−ペンチン−３−オール（９．９）等。
（iii）多価アルコール類とその誘導体類：エチレングリコ−ル（任意）、エチレンカルボナ−ト（任意）、エチレングリコールジアセタート（１４．０）、エチレングリコ−ルジグリシジルエ−テル（任意）、エチレングリコ−ルジメチルエ−テル（任意）、エチレングリコ−ルモノアセタ−ト（任意）、エチレングリコ−ルモノエチルエ−テル（任意）、エチレングリコ−ルモノエチルエ−テルアセタ−ト（２２．９）、エチレングリコ−ルモノブチルエ−テル（任意）、エチレングリコ−ルモノメチルエ−テル（任意）、エチレングリコ−ルモノメチルエ−テルアセタ−ト（任意）、エチレングリコ−ルモノメトキシメチルエ−テル（任意）、グリセリン（任意）、グリセリンジグリシジルエ−テル（任意）、グリセリントリジグリシジルエ−テル（任意）、グリセリン１，３−ジアセタ−ト（任意）、グリセリン１，２−ジメチルエ−テル（任意）、グリセリン１，３−ジメチルエ−テル（任意）、グリセリントリアセタ−ト（７０．０）、グリセリン１−モノアセタ−ト（任意）、２−クロロ−１，３−プロパンジオ−ル（任意）、３−クロロ−１，２−プロパンジオ−ル（任意）、ジエチレングリコ−ル（任意）、ジエチレングリコ−ルエチルメチルエ−テル（任意）、ジエチレングリコ−ルジアセタ−ト（任意）、ジエチレングリコ−ルジエチルエ−テル（任意）、ジエチレングリコ−ルジメチルエ−テル（任意）、ジエチレングリコ−ルモノエチルエ−テル（任意）、ジエチレングリコ−ルモノエチルエ−テルアセタ−ト（任意）、ジエチレングリコ−ルモノブチルエ−テル（任意）、ジエチレングリコ−ルモノメチルエ−テル（任意）、ジプロピレングリコ−ル（任意）、ジプロピレングリコ−ルモノエチルエ−テル（任意）、ジプロピレングリコ−ルモノメチルエ−テル（任意）、テトラエチレングリコ−ル（任意）、トリエチレングリコ−ル（任意）、トリエチレングリコ−ルジメチルエ−テル（任意）、トリエチレングリコ−ルモノエチルエ−テル（任意）、トリエチレングリコ−ルモノメチルエ−テル（任意）、トリプロピレングリコ−ル（任意）、トリメチレングリコ−ル（任意）、トリメチロ−ルエタン（任意）、トリメチロ−ルプロパン（任意）、１，２−ブタンジオ−ル（任意）、１，３−ブタンジオ−ル（任意）、プロピレングリコ−ル（任意）、プロピレングリコ−ルモノエチルエ−テル（任意）、プロピレングリコールモノブチルエーテル（任意）、プロピレングリコ−ルモノメチルエ−テル（任意）、ヘキシレングリコ−ル（任意）、１，５−ペンタンジオ−ル（任意）、ポリエチレングリコ−ル（任意）、ポリプロピレングリコ−ル（任意）等。
（iv）エ−テル類：１，４−ジオキサン（任意）、ジプロピルエーテル（任意）、ジメチルエーテル（任意）、テトヒドロフラン（任意）、テトラヒドロピラン（任意）、トリオキサン（２１．１）、フルフラール（７．９）、メチラール（３２．３）、メチル−ｔ−ブチルエーテル（５．１）等。
（ｖ）エステル類：蟻酸メチル（２０．０）、蟻酸エチル（１１．８）、酢酸メチル（２４．５）、酢酸エチル（８．０８）、乳酸メチル（任意）、乳酸エチル（任意）、γ−ブチロラクトン（任意）等。
（vi）含窒素化合物；アセトニトリル（任意）、Ｎ−エチルモルホリン（任意）、ジイソプロピルエチルアミン（任意）、１，３−ジメチル−２−イミダゾリジノン（任意）、Ｎ，Ｎ−ジメチルアセトアミド（任意）、Ｎ，Ｎ−ジメチルホルムアミド（任意）、Ｎ，Ｎ，Ｎ',Ｎ’−テトラメチルエチレンジアミン（任意）、テトラメチル尿素（任意）、トリエタノ−ルアミン（任意）、トリエチルアミン（任意）等。
【００１５】
これらの有機溶媒の中でも好ましくはケトン類、アルコール類、エーテル類、含窒素化合物であり、さらに好ましくはアセトン、メタノ−ル、エタノール、テトラヒドロフラン、アセトニトリルである。これらの有機溶媒は１種単独もしくは２種類以上を組み合わせて使用することが出来る。
有機溶媒の使用量は、混合無機塩水溶液に含まれる水の質量に対し０．１〜１０００倍量、好ましくは０．５〜１００倍量、より好ましくは１〜５０倍量である。無機ヨウ化物を分離回収した後の有機溶媒は回収可能であり、回収溶媒中の水分量を管理することで次の回収操作に繰り返し使用することができる。
【００１６】
混合無機塩水溶液に有機溶媒を添加して分液状態になる場合は、分液操作で無機塩の除去ができる。この分液状態では無機ヨウ化物は有機溶媒層に溶存する。無機ヨウ化物の抽出温度は溶媒の沸点以下であれば特に制限されないが、収率や品質、作業性の面からみて−２０〜１５０℃、好ましくは−１０〜１００℃、より好ましくは−５〜４０℃の範囲である。また、無機ヨウ化物の抽出を行う場合の圧力は特に制限されないが、好ましくは大気圧下である。無機ヨウ化物の抽出操作における混合時間および静置時間も特に制限されないが、生産性と分離効率の面から通常１分〜４８時間、好ましくは５分間〜３０時間の範囲内で行う。
【００１７】
混合無機塩水溶液に有機溶媒を添加して無機塩の結晶が析出する場合は、ろ過またはデカントにより析出無機塩と母液中に溶存する無機ヨウ化物とを分離することができる。この操作を行う場合の温度、圧力は特に制限されない。また、無機塩析出後の攪拌時間は特に制限されないが、好ましくは生産性と分離効率の面から通常１分〜４８時間、さらに好ましくは５分間〜３０時間の範囲内で行う。
【００１８】
上記の操作で得られた有機溶媒層を濃縮することで無機ヨウ化物を回収できる。この場合の濃縮温度は使用した溶媒種や操作圧力により異なるが、通常−１５〜２００℃で行う。また、濃縮時の圧力は特に制限されないが、好ましくは濃縮時間を短縮する目的から０．４ｋＰａ〜常圧の範囲で行うのがよい。
濃縮後に無機ヨウ化物を取り出す方法としてはそのまま結晶として取りだしてもよいし、その結晶に再度水や有機溶剤を加えて取り出してもよい。本発明で得られる無機ヨウ化物は極めて高純度であり、工業的に再利用することが可能である。しかも回収の一連の操作は一般的な設備で実施することができ、使用する釜も形状、材質等の制限を受けずに実施することが可能である。
【００１９】
濃縮で留去した有機溶媒を繰り返して再利用するには、留去した有機溶媒中に水が含まれないように濃縮条件を選択する必要がある。この濃縮条件は使用する有機溶媒の沸点により異なるが、共沸温度を持たない場合には濃縮時の減圧度における水の沸点を基準に分留を行うのが好ましい。共沸点を持つ場合には共沸温度を基準に分留を行うのが好ましい。有機溶媒の水分値をカールフィッシャー法等で測定し水分含量を管理することで、繰り返して使用することが出来る。管理する水分値は使用する有機溶媒によって異なるが、水と共沸点を持たない溶媒の場合には０〜１０％が好ましく、より好ましくは０〜５％以下である。水と共沸点を持つ溶媒の場合には１〜２０％が好ましく、より好ましくは１〜１０％である。
【００２０】
回収される無機ヨウ化物の種類としては、脱ヨウ素イオン反応の原料によっても異なるが、例えばヨウ化アンモニウム、ヨウ化鉄（II）、ヨウ化ニッケル、ヨウ化リチウム、ヨウ化カリウム、ヨウ化カルシウム、ヨウ化ナトリウム、ヨウ化バリウム、ヨウ化マグネシウム、ヨウ化セシウム等が挙げられる。
【００２１】
本発明で回収される無機ヨウ化物は極めて高純度であり、工業的に再利用（リサイクル）することが可能である。
例えば、ヨウ素化化合物とそれ以外の任意の化合物とを脱ヨウ素イオン反応により反応させ、目的物質を得るに際し、本発明の回収方法を適用し、回収された無機ヨウ化物をリサイクルすることができる。具体的には、下記（１）〜（５）の工程をサイクルさせることにより、回収された無機ヨウ化物をリサイクルすることができ、コスト的に極めて有利となる。
（１）ヨウ素化化合物とそれ以外の任意の化合物、もしくはヨウ素化化合物同士の脱ヨウ素イオン反応により反応させ、目的物を得る。
（２）前記（１）工程の脱ヨウ素イオン反応の結果生じた無機ヨウ化物を含む混合無機塩水溶液に有機溶媒を加え、前記無機ヨウ化物を分離する。
（３）前記（２）工程で得られた無機ヨウ化物をそのまま、または酸化剤と反応させてヨウ素に変換した後、被反応物と反応させてヨウ素化化合物を得る。
（４）前記（３）工程で得られたヨウ素化化合物を、前記（１）工程に利用し、目的物質を得る。
【００２２】
さらに具体的に、図１を参照しながら説明する。図１は、本発明の回収方法により回収された無機ヨウ化物の工業的なリサイクル方法を説明するための図である。
図１において、ヨウ素化化合物を含む原料（符号１１）を脱ヨウ素イオン反応に施し、前記の操作１または２（符号１２）により脱ヨウ素イオン反応液中から混合無機塩（符号１３）を分離し、目的物質（符号１４）を得る。この無機ヨウ化物を含む混合無機塩（符号１３）に有機溶媒を加え、有機溶媒層中に無機ヨウ化物を分離する（符号１５）。なお、無機ヨウ化物以外のその他の無機塩（符号１６）は廃棄する。次に有機溶媒層を濃縮し（符号１７）、無機ヨウ化物の水溶液もしくは無機ヨウ化物の結晶（符号１８）を回収する。なお使用済みの有機溶媒は回収し、必要に応じて補充し（符号１９）再利用することができる。続いて、回収された無機ヨウ化物は酸化剤（符号２３）と反応させヨウ素（符号２０）を得、このヨウ素と、被反応物（符号２４）とを反応させ、ヨウ素化化合物（符号２１）を得、これを原料（符号１１）におけるヨウ素化化合物として用いる。あるいは、回収された無機ヨウ化物（符号１８）に直接被反応物（符号２４）を反応させヨウ素化化合物（符号２１）を得る（符号２２）ことができるものもある。
【００２３】
前記の（３）工程において、ヨウ素化化合物を得る方法について説明する。
置換反応によるヨウ素化の場合には、本発明で回収した無機ヨウ化物またはその水溶液をそのまま使用することができる。または公知の酸化剤でヨウ素に変換してから置換ヨウ素化反応に用いても良いし、あるいは酸化剤存在下で反応系に無機ヨウ化物をそのまま添加して置換ヨウ素化反応を行っても良い。
直接ヨウ素化する場合には、公知の酸化剤で予め無機ヨウ化物をヨウ素に変換してからヨウ素化反応に用いるか、あるいは酸化剤存在下でヨウ素化反応の系に無機ヨウ化物をそのまま添加してヨウ素化反応が行われる。また、この場合は必要に応じて酸触媒を使用すると反応がより短時間で終了するので好ましい。酸触媒としては硫酸、塩酸、硫酸と硝酸の混酸等の無機酸；ｐ−トルエンスルホン酸等の有機酸；過酢酸、過硫酸塩等の過酸化物；強酸性イオン交換樹脂等の固体酸触媒が使用される。なかでも硫酸およびｐ−トルエンスルホン酸が好ましく、硫酸が安価で反応も短時間で終了するのでより好ましい。これら酸触媒は１種単独で、または２種以上を組み合わせて使用することができる。
また、直接ヨウ素化反応または置換ヨウ素化反応では、必要に応じて助触媒を使用することができる。例えば第４級アンモニウム塩やクラウンエーテルなどの相間移動触媒や、Ｆｅ、Ｎｉ、Ｃｕ、Ｚｎ、Ａｌ、Ｇａ、Ｓｉ、Ｇｅ、Ｓｎ、Ｐｂ、Ｐ、Ａｓ、Ｓｂなどの元素を含む化合物が挙げられる。
【００２４】
前記のヨウ素化反応に用いられる被反応物（基質）としては、従来ヨウ素化反応に用いられている化合物を使用することができる。例えばアルケニル基、アルキニル基、ヒドロキシ基、アミノ基、フッ素、塩素、臭素などを有する有機化合物、芳香族化合物、複素環化合物などが挙げられるが、化合物はこれらに限定されない。その中でも好ましくは芳香族化合物、複素環化合物である。ヨウ素化される化合物とヨウ素物の使用割合は、化合物１分子にヨウ素を導入する個数によって適切に選択される。
【００２５】
ヨウ素化反応で使用できる公知の酸化剤の例を以下に挙げる。
（Ａ）次亜塩素酸リチウム、次亜塩素酸ナトリウム、次亜塩素酸カリウム等の次亜塩素酸のアルカリ金属塩；
（Ｂ）亜塩素酸リチウム、亜塩素酸ナトリウム、亜塩素酸カリウム等の亜塩素酸のアルカリ金属塩；
（Ｃ）塩素酸リチウム、塩素酸ナトリウム、塩素酸カリウム等の塩素酸のアルカリ金属塩；
（Ｄ）過塩素酸および過塩素酸ナトリウム、過塩素酸カリウム、過塩素酸マグネシウム、過塩素酸バリウム等の過塩素酸のアルカリ金属塩、又はアルカリ土類金属塩；
（Ｅ）臭素酸および臭素酸リチウム、臭素酸ナトリウム、臭素酸カリウム等の臭素酸のアルカリ金属塩；
（Ｆ）ヨウ素酸およびヨウ素酸リチウム、ヨウ素酸ナトリウム、ヨウ素酸カリウム等のヨウ素酸のアルカリ金属塩；
（Ｇ）過ヨウ素酸、過ヨウ素酸ニ水和物および過ヨウ素酸リチウム、過ヨウ素酸ナトリウム、過ヨウ素酸カリウム等の過ヨウ素酸のアルカリ金属塩；
（Ｈ）過ホウ素酸ナトリウム等の過ホウ素酸のアルカリ金属塩；
（Ｉ）過酸化水素および過酸化ナトリウム、過酸化カルシウム、過酸化バリウム、過酸化亜鉛、過酸化マンガン等の過酸化物の塩；
（Ｊ）過酢酸；
（Ｋ）硝酸；
（Ｌ）過硫酸ナトリウム、過硫酸カリウム、過硫酸アンモニウム等の過硫酸塩等。
これらの酸化剤は１種単独で、または２種以上を組み合わせて使用することができる。またこれらの酸化剤は無機ヨウ化物のヨウ素陰イオンに対して０．１〜５倍モル、好ましくは０．５〜２．０倍モル、更に好ましくは０．８〜１．８倍モル使用する。
【実施例１】
【００２６】
次に実施例により本発明を更に具体的に説明するが、本発明はこれらに限定されるものではない。なお、無機ヨウ化物の純度測定はイオンクロマト法にて行った。
【００２７】
（実施例１）
ジフェニルアミン１０４．４ｇ（６１６．９ｍｍｏｌ）、４，４’−ジヨ−ドビフェニル６２．７ｇ（１５４．４ｍｍｏｌ）、炭酸カリウム４２．１ｇ（３００ｍｍｏｌ）、硫酸銅５水和物０．３ｇ（１．２ｍｍｏｌ）を四つ口フラスコに仕込み、内温２３５〜２４０℃で３時間反応を行った。反応終了後内温を１００℃まで冷却し、トルエン２００ｍｌと水５７．４ｍｌを加えて１０分間攪拌し、その後１０分間静置して有機層と水層を分離した。両層を分液後、有機層は減圧濃縮により溶剤を除去し、アセトン２４５ｍｌを加えて晶析後濾過し、乾燥してＮ，Ｎ，Ｎ’，Ｎ’−テトラフェニルベンジジン６７．９ｇ（収率９０．０％）を得た。水層を取り出し、ヨウ化カリウムを含む混合無機塩水溶液として１２６ｇを得た。次に、得られた水層にアセトン２５２ｍｌを加え１分間振り混ぜてから静置すると、有機層と水層とに分離した。外温５℃で更に３０分間静置し、有機層を分液し減圧濃縮した。得られたヨウ化カリウムの質量は４７．８ｇ（理論回収率９３．３％）、純度は９８．５％であった。
【００２８】
（実施例２〜２１）
実施例１において、用いる有機溶媒とその使用量を代えた以外は実施例１と同様の方法で行った。その結果を表１に示す。
【００２９】
【表１】
0004653968.tif 000002
【００３０】
（実施例２２）
ジフェニルアミン１０４．４ｇ（６１６．９ｍｍｏｌ）、４，４’−ジヨ−ドビフェニル６２．７ｇ（１５４．４ｍｍｏｌ）、炭酸ナトリウム３２．３ｇ（３００ｍｍｏｌ）、硫酸銅５水和物０．３ｇ（１．２ｍｍｏｌ）を仕込み、内温２３５〜２４０℃で５時間反応した。反応終了後内温１００℃まで冷却し、トルエン２００ｍｌと水９５ｍｌを加えて１０分間攪拌し、内温６０℃で１０分間静置して有機層（上層）と水層（下層）を分液した。有機層を減圧濃縮して溶剤を除去し、アセトン２４５ｍｌを加えて晶析した。結晶を濾別し、乾燥してＮ，Ｎ，Ｎ’，Ｎ’−テトラフェニルベンジジン６６．８ｇ（収率８８．５％）を得た。一方、分液した水層はヨウ化ナトリウムを含む混合無機塩水溶液であり、その質量は１５５ｇであった。
次に、上記の水層（混合無機塩層）全量を１０００ｍｌ四つ口フラスコに仕込み、有機溶剤としてアセトン４００ｍｌを加えたところ灰色の無機塩が析出した。外温０℃で冷却しながら更に３０分間攪拌し、濾別して残渣を廃棄した。残った濾液を減圧濃縮し、ヨウ化ナトリウム４２．２ｇ（理論回収率９１．２％）を得た。その純度は９８．４％であった。
【００３１】
（実施例２３）
回収ヨウ化カリウムを用いた４、４’−ジヨードビフェニルの合成
実施例１で反応液から分離した混合無機塩水溶液３２．０ｇにアセトン６４ｍｌを添加し、１分間振り混ぜた後外温５℃に冷却して３０分間静置した。分液して下層を廃棄し、上層の有機層全量を四つ口フラスコに移した。外温４０℃、２６６ｋＰａの条件で、内温が３５℃に到達するまでフラスコ内のアセトン層を減圧濃縮した。濃縮終了後、濃縮液に氷酢酸４５．３ｇ、精製濃硫酸７．４ｇ、ジフェニル５．０ｇ（３２．４ｍｍｏｌ）、過硫酸アンモニウム１８．１ｇ（７９．３ｍｍｏｌ）を仕込み、内温８０〜８５℃で４時間反応した。反応液にトルエン１２７ｍｌ、水４５ｍｌを加えて１０分間攪拌した後、８０℃を保ちながら１０分間静置した。下層の水層を廃棄し、有機層に８０℃の温水５０ｍｌを加え１分間攪拌し、８０℃に保温しながら１０分間静置した。再度下層の水層を廃棄し、残った有機層を内温０〜５℃で２時間攪拌晶析した。結晶を濾過し、メタノ−ル３０ｍｌで洗浄し、得られた結晶を乾燥して淡黄色鱗片状結晶の目的物１０．１ｇ（収率７６．７％）を得た。ガスクロマトグラフィー（以下、ＧＣと記載する）による純度は９９．９％であった。
【００３２】
（実施例２４）
回収ヨウ化ナトリウムを用いる４−ヨードビフェニルの合成
実施例２２で反応液から分離した混合無機塩水溶液３９．４ｇにアセトン１０１ｍｌを加え、外温５℃に冷却し３０分間攪拌した。析出した結晶を濾別し、濾液を外温４０℃、２６６ｋＰａの条件で内温が３５℃に到達するまで減圧濃縮した。濃縮液に氷酢酸７６．８ｇ、精製濃硫酸６．２ｇ、ジフェニル２８．２ｇ（１８２．９ｍｍｏｌ）、水５５ｇ、３０％過酸化水素水８．３ｇ（７３．２ｍｍｏｌ）を仕込み、４０℃で３０分間攪拌後、内温８５〜９０℃で４時間反応した。反応液にトルエン４１ｍｌを加え１０分間攪拌した後、６０℃に保温して１０分間静置した。下層の水層を廃棄し、２５％水酸化ナトリウム水溶液２．０ｇ、水４０ｍｌ、チオ硫酸ナトリウム２．０ｇを加え３分間攪拌し、６０℃に保温しながら１０分間静置した。下層の水層を廃棄し、２０％の塩化ナトリウム水溶液４０ｇを加え１分間攪拌し、６０℃に保温しながら１０分間静置した。下層の水層を廃棄し、残った有機層にメタノール１６０ｍｌを加えて攪拌しながら内温１０℃まで冷却した。内温６〜１０℃で５時間晶析し、結晶を濾過してメタノール１５ｍｌで洗浄した。得られた結晶を乾燥して微黄色鱗片状結晶の目的物１１．７ｇ（収率５７．１％）を得た。ＧＣによる純度は９７．８％であった。
【００３３】
なお、前記の無機ヨウ化物回収の実施例は工業的規模に拡大することができる。例えばグラスライニングやステンレスに代表される耐溶剤性を有する一般的な材質の反応容器で、且つ攪拌装置、凝縮器、濃縮受器等を有する設備であれば、プラント規模の大小を問わず本発明を実施することが可能である。
【図面の簡単な説明】
【００３４】
【図１】本発明の回収方法により回収された無機ヨウ化物の工業的なリサイクル方法を説明するための図である。
【図１】
0004653968.tif 000003